(57)【要約】      （修正有）【課題】一対のハンドルを有する車輌のハンドル部分に掛けた場合に、介添え者の邪魔にならず、中身の出し入れが容易であり、また、特別な留め具を必要とすることなくバッグの開口部が自然と閉じ内部が視認され難い車輌用バッグを提供する。【解決手段】開口部２を有する袋体３と、この袋体を車輌のハンドルに掛合するための一対のループ部４とを備える車輌用バッグ１であって、上記開口部２が閉状態で重合する前縁５及び後縁６を有し、上記一対のループ部４が前縁５及び後縁６の左右対象位置に、かつ前縁５及び後縁６間に架け渡されるよう配設されており、上記ループ部４が帯状体からなり、その幅方向が前縁５及び後縁６と略平行に位置し、上記ループ部４の前縁５及び後縁６から延出する長さの半分が、ループ部４の幅に対する比が１以上５以下である。【選択図】図１
2011224163.tif 000002
【特許請求の範囲】
【請求項１】
開口部を有する袋体と、この袋体を車輌のハンドルに掛合するための一対のループ部とを備える車輌用バッグであって、
上記開口部が閉状態で重合する前縁及び後縁を有し、
上記一対のループ部が前縁及び後縁の左右対象位置に、かつ前縁及び後縁間に架け渡されるよう配設されていることを特徴とする車輌用バッグ。
【請求項２】
上記ループ部が帯状体からなり、その幅方向が前縁及び後縁と略平行に位置する請求項１に記載の車輌用バッグ。
【請求項３】
上記ループ部の前縁及び後縁からの延出長さの半分（Ｌ）の幅（Ｗ）に対する比（Ｌ／Ｗ）が１以上５以下である請求項２に記載の車輌用バッグ。
【請求項４】
上記前縁及び後縁の両端間距離（Ｄ１）に対する一対のループ部間距離（Ｄ２）の比（Ｄ２／Ｄ１）が５／８以上７／８以下である請求項１、請求項２又は請求項３に記載の車輌用バッグ。
【請求項５】
上記前縁及び後縁にループ状の一対の持ち手が配設されている請求項１から請求項４のいずれか１項に記載の車輌用バッグ。
【発明の詳細な説明】
【技術分野】
【０００１】
本発明は、車輌用バッグに関する。
【背景技術】
【０００２】
従来、車椅子の利用者が通院やリハビリ等で外出する場合、市販されている一般的なバッグやリュック等に携行品を入れ、これらのバッグ等の持ち手部分を車椅子の背面側に突き出た左右のハンドルに掛けて荷物を運ぶことが多い。しかし、いわゆるトートバッグ等の一般的なバッグを車椅子のハンドルの片側にまとめて掛けると車体のバランスが偏り、車椅子を真っ直ぐに走らせ難く、安全性が低下するおそれがある。一方、左右のハンドルにバッグの２本の持ち手をそれぞれ分けて掛けると、バッグの口が大きく開いてしまい、バッグの内部が容易に視認されやすい上に、バッグが車椅子の背もたれに対して垂直方向に突出し、車椅子を押す介添え者の邪魔になる傾向がある。
【０００３】
そこで、車椅子の利用者にとって使い勝手の良いバッグが提案されている。例えば、車椅子のハンドルに掛けやすいように袋の両端に持ち手が取り付けられ、車椅子の利用者が車椅子に乗った状態でも、降りた状態でも使い易いように、手提げバッグとナップサックの両方の形状に変化させることのできるリハビリバッグ（例えば特開２００８−２３７８６６号公報等）や、車椅子の背後に装着し易く、また単独で手提げカバンとしても使用することのできる手提げ袋（例えば特開２００３−３３９７７４号公報等参照）等が提供されている。
【０００４】
しかしながら、これらのバッグは、車椅子のハンドルに掛けた状態において、バッグが車椅子の背もたれに沿うように位置し、車椅子を押す介添え者等の邪魔にはならないものの、バッグの開口部に面ファスナーやボタン等の留め具がない場合には、バッグの開口部が自然と開き、依然としてバッグの内部が見え易い構造である。一方、バッグの内部を見え難くするために、バッグの開口部に留め具を付けた場合には、中身を出し入れする度に留め具の着脱動作が必要となり煩瑣である。このように現在のところ、車椅子等の車輌のハンドルに掛けた場合でも介添え者や利用者の邪魔にならず、中身の出し入れが容易であり、且つ内部が外から見え難いバッグは提供されていないのが実情である。
【先行技術文献】
【特許文献】
【０００５】
【特許文献１】特開２００８−２３７８６６号公報
【特許文献２】特開２００３−３３９７７４号公報
【発明の概要】
【発明が解決しようとする課題】
【０００６】
本発明は、これらの事情に鑑みてなされたものであり、例えば、車椅子等の一対のハンドルを有する車輌のハンドル部分に掛けた場合において、介添え者や利用者の邪魔にならず、中身の出し入れが容易であり、バッグの内部が視認され難い車輌用バッグの提供を目的とするものである。
【課題を解決するための手段】
【０００７】
上記課題を解決するためになされた発明は、
開口部を有する袋体と、この袋体を車輌のハンドルに掛合するための一対のループ部とを備える車輌用バッグであって、
上記開口部が閉状態で重合する前縁及び後縁を有し、
上記一対のループ部が前縁及び後縁の左右対象位置に、かつ前縁及び後縁間に架け渡されるよう配設されていることを特徴とする。
【０００８】
当該車輌用バッグは、開口部が閉状態で重合する前縁及び後縁を有し、上記一対のループ部が前縁及び後縁の左右対象位置に、かつ前縁及び後縁間に架け渡されるよう配設されているため、例えば車椅子等の背面側の左右のハンドルに２本のループ部をそれぞれ分けて掛けた場合、特別な留め具を用いることなくバッグの開口部が自然と閉じる。これは、当該車輌用バッグの前縁及び後縁間に架け渡される一対のループ部を車椅子等の平行に突設される一対のハンドルに掛けると、一対のループ部が略９０°捻れ、この捻れによって生じる力が当該車輌用バッグの開口部の前縁及び後縁を閉じる方向に働くためである。このように、当該車輌用バッグは、特別な留め具を用いなくともバッグの開口部が自然と閉じるため、バッグの中身を外部から視認され難くすることができる。また、当該車輌用バッグは、留め具を使用していないことから、閉状態でも利用者がバッグの中身を容易に出し入れすることができる。
【０００９】
上記ループ部が帯状体からなり、その幅方向を前縁及び後縁と略平行となるように位置するとよい。このように、上記ループ部を帯状体に形成し、その幅方向を当該車輌用バッグの前縁及び後縁と略平行に位置するように配設することで、ループ部を車椅子等のハンドルに掛けた場合、ループ部の先端部の捻れにより作用するループ部の一対の付け根部の周方向の捻りモーメントが大きくなり、その結果、当該車輌用バッグの開口部の前縁及び後縁を閉じる作用が大きくなる。
【００１０】
上記ループ部の前縁及び後縁からの延出長さの半分（Ｌ）の幅（Ｗ）に対する比（Ｌ／Ｗ）としては、１以上５以下が好ましい。ループ部の前縁及び後縁からの延出長さの半分（Ｌ）の幅（Ｗ）に対する比（Ｌ／Ｗ）を上記範囲とすることにより、当該車輌用バッグの車椅子等のハンドルへの掛合性を維持しつつ、上述の掛合時に作用する捻りモーメントの増大性を効果的に奏することができる。
【００１１】
上記前縁及び後縁の両端間距離（Ｄ１）に対する一対のループ部間距離（Ｄ２）の比（Ｄ２／Ｄ１）としては、５／８以上７／８以下が好ましい。このように、前縁及び後縁の両端間距離（Ｄ１）に対する一対のループ部間距離（Ｄ２）の比（Ｄ２／Ｄ１）が５／８以上７／８以下となるように、上記ループ部を当該車輌用バッグの袋体に取り付けることによって、当該車輌用バッグのループ部を車椅子等のハンドルに掛けた場合、袋体の前縁及び後縁の端から端まで開口部全体をより閉じやすくすることができる。
【００１２】
上記前縁及び後縁にループ状の一対の持ち手が配設されているとよい。このように、上記ループ部の他に、ループ状の一対の持ち手が前縁及び後縁に取り付けられていることにより、車椅子から降りる状況であっても、片手で当該車輌用バッグの持ち運びが容易となる。つまり、利用者が車椅子を使用している時、又は車椅子から離れて移動する時のどちらの場合においても、使い勝手に優れたものとなる。
【００１３】
ここで、「前縁及び後縁の両端間距離（Ｄ１）」とは、当該車輌用バッグを平置きする等して袋体の開口部を閉状態にした場合における前縁の両端間の距離又は後縁の両端間の距離を意味し、また、「一対のループ部間距離（Ｄ２）」とは、同様に袋体の開口部を閉状態にした場合における一対のループ部の間の最短となる距離を意味する。
【発明の効果】
【００１４】
以上説明したように、当該車輌用バッグは、袋体の開口部が閉状態で重合する前縁及び後縁を有し、一対のループ部が前縁及び後縁の左右対象位置に、かつ前縁及び後縁間に架け渡されるよう配設されていることによって、例えば、車椅子等の一対のハンドルを有する車輌のハンドル部分に掛けた場合、介添え者等の邪魔にならず、中身の出し入れが容易であり、また、開口部周辺に特別な留め具を必要とすることなくバッグの内部が外部から視認され難いという優れた効果を奏する。
【図面の簡単な説明】
【００１５】
【図１】本発明の一実施形態に係る車輌用バッグを示す模式的斜視図である。
【図２】図１の車輌用バッグの使用方法を示す模式的正面図である。
【図３】図１の車輌用バッグの開口部周辺とループ部を示す模式的正面図である。
【図４】図１の車輌用バッグを車椅子のハンドルに掛けた場合を示す模式的正面図である。
【図５】図１の車輌用バッグとは異なる車輌用バッグを示す模式的斜視図である。
【図６】図１の車輌用バッグとは異なる車輌用バッグを示す模式的正面図である。
【発明を実施するための形態】
【００１６】
図１の車輌用バッグ１は、開口部２を有する袋体３と、一対のループ部４とを備えている。開口部２は、閉状態で重合する前縁５及び後縁６からなる。また、上記一対のループ部４は、前縁５及び後縁６の左右対象位置に、かつ前縁５及び後縁６の間を架け渡すように配設されている。
【００１７】
当該車輌用バッグ１は、後に詳述するように、例えば、車椅子や自転車等の左右のハンドルを有する車輌のハンドルに、一対のループ部４をそれぞれ分けて掛けることにより、特別な留め具を用いなくとも開口部２が自然に閉じ、バッグの中身が外部から視認し難いように構成されている。これは、図２に示すように、当該車輌用バッグ１のループ部４を車椅子等のハンドルに掛けることによって、ループ部４が捻れ、この捻れによって生じる力が当該車輌用バッグ１の開口部２を閉じる方向に、つまり開口部２が閉状態となるように働くためである。
【００１８】
袋体３の形状は特に制限はなく、例えば、正面から見た場合に略長方形、略半円等となる形状が挙げられる。
【００１９】
袋体３の材質は、一般的にバッグとして用いられる材質であれば特に制限はなく、例えば、綿、麻、毛、絹、皮等の天然素材、ナイロン、ビニロン、ポリエステル、アクリル等の合成素材等が挙げられる。中でも、取り扱いが容易で手触りが良く、適度な剛性と柔軟性を有することにより、ループ部４を車椅子等のハンドルに掛けた場合に生じる捻れによって開口部２が閉じやすい綿のキルティング素材が好ましい。なお、袋体３の材質として綿や麻を用いる場合は、一度洗濯処理を施したものを用いると当該車輌用バッグ１を洗濯したときに縮み難いためより好ましい。
【００２０】
袋体３のサイズとしては、特に限定されず、利用者の体型や使用態様、又は掛ける対象が車椅子なのか自転車なのか等を適宜考慮して決定される。例えば、当該車輌用バッグ１を車椅子のハンドルに掛けて使用する場合は、車椅子の左右のハンドル間の寸法にもよるが、当該車輌用バッグ１を平置きする等して袋体３の開口部２を閉状態とした場合における前縁５又は後縁６の両端間距離（Ｄ１）として３０ｃｍ以上５０ｃｍ以下が好ましく、３５ｃｍ以上４５ｃｍ以下がより好ましい。袋体３の上記距離（Ｄ１）が３０ｃｍ未満の場合は、袋体３のサイズが小さくなり、ひいてはループ部４の長さ（Ｌ）も短くなることにより、当該車輌用バッグ１を車椅子のハンドルに掛けた場合、ループ部４が左右に引っ張られ過ぎて当該車輌用バッグ１の中身を出し入れし難くなるおそれがある。一方、袋体３の上記距離（Ｄ１）が５０ｃｍを超えると、当該車輌用バッグ１の両端部分が車椅子のタイヤと接触し、安全な走行が妨げられるおそれがある。
【００２１】
袋体３の深さとしては、特に限定されず、２０ｃｍ以上４０ｃｍ以下が好ましく、２５ｃｍ以上３５ｃｍ以下がより好ましい。袋体３の深さが２０ｃｍ未満の場合は、袋体３としての充分な容量を確保できなくなるおそれがあり、一方、袋体３の深さが４０ｃｍを超えると、例えば、当該車輌用バッグ１を車椅子のハンドルに掛けた場合において、袋体３の下端が車椅子のタイヤ部分に接触する恐れや、車椅子の利用者が車椅子に座ったままの状態で、後ろ手にバッグの中身を取り出そうとする場合に、バッグの底部７まで手が届かなくなるおそれがある。
【００２２】
袋体３は底部７を有する。底部７は、袋体３の底の部分であり、長手方向に長径を有する形状に形成されていることが好ましい。このような底部７の形状としては、略直線状（マチがないもの）のものや、一定の形状を有するもの（いわゆるマチがあるもの）が挙げられる。底部７として一定の形状を有する場合、その形状は長手方向の長径を有するものが好ましく、このような形状としては、例えば、略長方形や楕円等が挙げられる。底部７は、底部７の長径と袋体３の前縁５又は後縁６とが略平行となるように構成される。その結果、例えば、車椅子等の車輌のハンドルに当該車輌用バッグ１を掛けた場合、袋体３の底部７の長径がハンドルの向きに対して略平行に位置し、介添え者や利用者の邪魔にならない。
【００２３】
底部７が一定の形状を有するもの（いわゆるマチがあるもの）の場合、底部７の幅の長さ（いわゆるマチの幅の長さ）としては、１ｃｍ以上１５ｃｍ以下が好ましく、５ｃｍ以上１０ｃｍ以下がより好ましい。底部７の幅の長さが１ｃｍ未満の場合は、袋体３として充分な容量を確保できなくなるおそれがあり、一方、底部７の幅の長さが１５ｃｍを超えると、当該車輌用バッグ１の厚みが厚くなり過ぎることにより、例えば、車椅子等のハンドルに当該車輌用バッグ１を掛けた場合に、車椅子を押す介添え者等の邪魔になるおそれが生じる。
【００２４】
ループ部４は、袋体３の前縁５及び後縁６の左右対象位置に、かつ前縁５及び後縁６の間に架け渡されるように配設されている。ループ部４の取り付け位置は、前縁５への取り付け位置と後縁６への取り付け位置とが同一でもよいし、異なっていてもよい。前縁５への取り付け位置と後縁６への取り付け位置とが異なっている場合は、車椅子等のハンドルに当該車輌用バッグ１を掛けたときのループ部４の捻れにより生じる力がより強いものとなる。このように取り付けられるループ部４を、前縁５のループ部４の部分と後縁６のループ部の部分とが交差するように、右回りもしくは左回りに捻りながら車椅子等のハンドルに掛けることによって、ループ部４の捻れによって生じる力が当該車輌用バッグ１の開口部２を閉じる方向に、つまり開口部２を閉状態とするように働く。その結果、袋体３の中身を外部から視認され難くすることができる。
【００２５】
ループ部４は帯状体に形成され、その幅方向が袋体３の前縁５及び後縁６と略平行となるように配設されていることが好ましい。ループ部４が帯状体からなり、その幅方向が袋体３の前縁５及び後縁６と略平行となるように配設されることにより、当該車両用バッグ１を車椅子等のハンドルに掛けた場合に生じるループ部４の捻れが、当該車両用バッグ１の開口部２を閉じる方向により効果的に働く。
【００２６】
上記ループ部４における、前縁５及び後縁６からの延出長さの半分（Ｌ）の幅（Ｗ）に対する比（Ｌ／Ｗ）としては１以上５以下が好ましく、１．５以上４．５以下がより好ましく、３以上４以下がさらに好ましい。上記比（Ｌ／Ｗ）が１未満の場合は、ループ部４が短くなることにより車椅子等のハンドルに当該車輌用バッグ１を掛け難くなり、また、捻れにより生じる力が袋体３の開口部２を閉じ過ぎて、中身を出し入れし難くなるおそれがある。一方、上記比（Ｌ／Ｗ）が５を超える場合は、ループ部４が長くなり過ぎて、開口部２を閉じるだけの充分な捻れを生じないおそれがある。また、上記比（Ｌ／Ｗ）が５を超える場合は、ループ部４が長くなることで、当該車輌用バッグ１の底部７が車椅子の車輪部分と接触するおそれや、車椅子の利用者が車椅子に座ったままの状態で後ろ手にバッグの中身を取り出そうとする場合に、袋体３の底部７まで手が届かなくなるおそれがある。特に、当該車輌用バッグ１を車椅子のハンドルに掛けて使用する場合には、車椅子の利用者が車椅子に座ったままの状態で後ろ手に袋体３の中身を取り出すことができるように、袋体３の底部７まで利用者の手が届くような構成とするように配慮することが好ましい。
【００２７】
また、上記ループ部４における、前縁５及び後縁６の両端間距離（Ｄ１）に対する一対のループ部４の間の距離（Ｄ２）の比（Ｄ２／Ｄ１）としては、５／８以上７／８以下が好ましく、５／８以上６／８以下がより好ましく、２／３がさらに好ましい。上記比（Ｄ２／Ｄ１）が５／８未満の場合は、一対のループ部４の間の距離（Ｄ２）が短くなることにより、前縁５及び後縁６の両端まで開口部２を充分に閉じることができなくなるおそれがある。一方、上記比（Ｄ２／Ｄ１）が７／８を超える場合は一対のループ部４の間の距離（Ｄ２）が長くなることにより、上記とは逆に前縁５及び後縁６の中央部分を充分に閉じることができなくなるおそれがある。
【００２８】
ループ部４の材質は、一般的にバッグに用いられる材質であって車椅子等のハンドルに掛けたときに捻れを生じるものであればよく、例えば綿、麻、毛、絹、皮等の天然素材、ナイロン、ビニロン、ポリエステル、アクリル等の合成素材等が挙げられる。中でも、耐久性に優れ、適度な剛性と柔軟性を有し、車椅子等のハンドルに当該車輌用バッグ１を掛けた場合に捻れによる力が生じやすいポリエステルが好ましい。
【００２９】
また、当該車輌用バッグ１の利用者の体型や使用態様に合わせて、ループ部４の長さを適切な長さに調節できるような長さ調節部材を取り付けてもよい。このような長さ調節部材としては、例えば、数段階に穴の開いているベルトタイプのものや、穴の開いていないベルトタイプ、又は面ファスナー等の一般的な調節部材を適宜用いればよい。
【００３０】
また、ループ部４には、車椅子等のハンドルからの滑り落ちを防ぐために、摩擦抵抗の大きい樹脂製のフィルム等の滑り止め加工が付されていてもよい。
【００３１】
当該車輌用バッグ１によれば、例えば、図４のように、車椅子等のハンドルに当該車輌用バッグ１を掛けた場合、利用者や介添え者等の邪魔にならず、また、ループ部４が捻れることにより開口部２を閉じる力が生じるため、袋体３に蓋や留め具が取り付けられていなくてもバッグの中身が外部から視認されにくく、内容物の出し入れを非常にスムーズに行うことができる。
【００３２】
当該車輌用バッグ１は、このように特別な留め具を必要とすることなく開口部２が自然と閉じる構造となっているが、ボタン、面ファスナー等の留め具を開口部２に取り付けてもよい。このような留め具を備えることにより、内容物の体積が大きい場合や、確実に開口部２を閉じたいときにも対応することができる。
【００３３】
また、図４では、当該車輌用バッグ１を車椅子に掛けた場合が示されているが、本発明はこのような使用態様に限られず、車椅子と同様のハンドルを有する他の乗り物、例えば自転車やベビーカー等にも適用可能である。特に、自転車のハンドルに当該車輌用バッグ１を掛けた場合には、自転車と運転者の間に当該車輌用バッグ１が位置することにより、いわゆるひったくり防止等の防犯効果も期待できる。
【００３４】
図５の車輌用バッグ９は、開口部２を有する袋体３と、一対のループ部４と、ループ部４とは別のループ状の一対の持ち手１０とを備えている。開口部２、袋体３及びループ部４は、図１の車輌用バッグ１と同様のものであるため同一番号を付して説明を省略する。
【００３５】
上記ループ状の一対の持ち手１０は、上述したループ部４とは別に、袋体３の前縁５及び後縁６にそれぞれ取り付けられている。
【００３６】
上記ループ状の一対の持ち手１０の材質は、上記ループ部４と同様の材質を問題なく利用可能である。中でも、洗濯等の取り扱いが容易で耐久性に優れる点においてポリエステルが好ましい。
【００３７】
上記ループ状の一対の持ち手１０のサイズとしては、特に限定されず、使用態様やデザイン等を適宜考慮して決定すればよい。例えば、ループ状の一対の持ち手１０の長さは、片手で握って使用する場合や、腕に掛けて使用する場合においても適用可能な長さに決定することが好ましい。
【００３８】
上記ループ状の一対の持ち手１０の幅としては、一般的なバッグの持ち手の幅であれば特に限定されず、例えば、２ｃｍ以上４ｃｍ以下とすること等が挙げられる。ループ状の一対の持ち手１０の幅が２ｃｍ未満の場合は、持ち手としての十分な耐久性が得られないおそれがあり、一方、４ｃｍを超えると、幅が広すぎることにより、持ち手を片手で握って使用する場合において、握り難くなるおそれが生じる。
【００３９】
また、上記ループ状の一対の持ち手１０は、使用しないときは、袋体３の内側部分に収容可能に構成されていてもよい。このようにループ状の一対の持ち手１０を不使用時には袋体３の内部に収容することによって、不用意にどこかに引っかけたりするおそれが軽減され、使用上の安全性が向上するとともに、外観上もすっきりと見せることができる。ループ状の一対の持ち手１０の収容方法としては、図６に示すように、袋体３の内側部分に折り曲げて収容可能とする方法や、ループ状の一対の持ち手１０の付け根部分に収容ポケットを設置して、必要時にのみループ状の一対の持ち手１０をスライドさせて袋体３の収容ポケットから引き出す方法等が挙げられる。
【００４０】
なお、当該車輌用バッグは、上記実施形態に限定されるものではない。例えば、開口部は、前縁及び後縁からなるものに限定されず、前縁及び後縁間にマチ等を有してもよい。つまり、袋体が、前縁を有する前部材と後縁を有する後部材との重ね合わせの形態に限定されず、前部材及び後部材間に折り畳み可能なマチ部を有する構造でも可能であり、上述のような掛合時の閉止作用を奏することができる。
【産業上の利用可能性】
【００４１】
本発明の車輌用バッグは、袋体の開口部が閉状態で重合する前縁及び後縁を有し、一対のループ部が前縁及び後縁の左右対象位置に、かつ前縁及び後縁間に架け渡されるよう配設されていることにより、車椅子のハンドルにループ部を掛けた場合には、開口部が自然に閉じる。このため、バッグの中身が外部から視認し難く、利用者はバッグの中身を容易に出し入れすることができ、また介添え者の邪魔にもならないため、車椅子の利用者の携行品を持ち運ぶバッグとして好適に用いることができる。また、車椅子だけではなく、当該車輌用バッグを自転車に用いる場合には防犯効果が期待でき、ベビーカー等の同様のハンドルにも適用可能である。
【符号の説明】
【００４２】
１    車輌用バッグ
２    開口部
３    袋体
４    ループ部
５    前縁
６    後縁
７    底部
８    端部
９    車輌用バッグ
１０  持ち手
Ｄ１  前縁及び後縁の両端間距離
Ｄ２  一対のループ部間距離
Ｌ    ループ部の前縁及び後縁からの延出長さの半分
Ｗ    ループ部の幅
【図１】
2011224163.tif 000003
【図２】
2011224163.tif 000004
【図３】
2011224163.tif 000005
【図４】
2011224163.tif 000006
【図５】
2011224163.tif 000007
【図６】
2011224163.tif 000008
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
開口部を有する袋体と、この袋体を車輌のハンドルに掛合するための一対のループ部とを備える車輌用バッグであって、
上記開口部が閉状態で重合する前縁及び後縁を有し、
上記一対のループ部が帯状体からなり、前縁及び後縁の両端部よりも中央側の左右対称位置に、かつ前縁及び後縁間に架け渡されるよう配設されており、
上記ループ部の前縁及び後縁からの延出長さの半分（Ｌ）の幅（Ｗ）に対する比（Ｌ／Ｗ）が１以上５以下であることを特徴とする車輌用バッグ。
【請求項２】
上記ループ部の幅方向が前縁及び後縁と略平行に位置する請求項１に記載の車輌用バッグ。
【請求項３】
上記前縁及び後縁の両端間距離（Ｄ１）に対する一対のループ部間距離（Ｄ２）の比（Ｄ２／Ｄ１）が５／８以上７／８以下である請求項１又は請求項２に記載の車輌用バッグ。
【請求項４】
上記前縁及び後縁にループ状の一対の持ち手が配設されている請求項１、請求項２又は請求項３に記載の車輌用バッグ。
【手続補正２】
【補正対象書類名】明細書
【補正対象項目名】０００７
【補正方法】変更
【補正の内容】
【０００７】
上記課題を解決するためになされた発明は、
開口部を有する袋体と、この袋体を車輌のハンドルに掛合するための一対のループ部とを備える車輌用バッグであって、
上記開口部が閉状態で重合する前縁及び後縁を有し、
上記一対のループ部が帯状体からなり、前縁及び後縁の両端部よりも中央側の左右対称位置に、かつ前縁及び後縁間に架け渡されるよう配設されており、
上記ループ部の前縁及び後縁からの延出長さの半分（Ｌ）の幅（Ｗ）に対する比（Ｌ／Ｗ）が１以上５以下であることを特徴とする。
【手続補正３】
【補正対象書類名】明細書
【補正対象項目名】０００９
【補正方法】変更
【補正の内容】
【０００９】
上記ループ部は帯状体からなる。また、その幅方向は前縁及び後縁と略平行となるように位置するとよい。このように、上記ループ部を帯状体に形成し、その幅方向を当該車輌用バッグの前縁及び後縁と略平行に位置するように配設することで、ループ部を車椅子等のハンドルに掛けた場合、ループ部の先端部の捻れにより作用するループ部の一対の付け根部の周方向の捻りモーメントが大きくなり、その結果、当該車輌用バッグの開口部の前縁及び後縁を閉じる作用が大きくなる。
【手続補正４】
【補正対象書類名】明細書
【補正対象項目名】００１０
【補正方法】変更
【補正の内容】
【００１０】
上記ループ部の前縁及び後縁からの延出長さの半分（Ｌ）の幅（Ｗ）に対する比（Ｌ／Ｗ）としては、１以上５以下とする。ループ部の前縁及び後縁からの延出長さの半分（Ｌ）の幅（Ｗ）に対する比（Ｌ／Ｗ）を上記範囲とすることにより、当該車輌用バッグの車椅子等のハンドルへの掛合性を維持しつつ、上述の掛合時に作用する捻りモーメントの増大性を効果的に奏することができる。